(57)【特許請求の範囲】
【請求項１】
航空機乗客メインキャビンの航空機用ラバトリーに補助酸素を供給するシステムであって、
航空機用ラバトリーを有する航空機乗客メインキャビンと、
航空機用ラバトリー内に設置され、航空機用ラバトリーの使用者に補助酸素を提供するように構成されたラバトリー用酸素マスクを備える、ラバトリー酸素ドロップボックスハウジングと、
航空機乗客メインキャビン内での減圧または除圧イベント時に酸素発生信号を送信するように構成されたメインキャビン減圧リレーと、
ラバトリー用酸素マスクに接続され該ラバトリー用酸素マスクに補助酸素を提供する化学的酸素発生器であって、乗客が実質的にアクセスできない、航空機用ラバトリーおよびメインキャビン減圧リレーから遠隔の前記航空機乗客メインキャビンの領域に配置される、化学的酸素発生器と、
化学的酸素発生器に接続された化学的酸素発生開始デバイスと、
を備え、
前記化学的酸素発生開始デバイスはメインキャビン減圧リレーと電気的に接続されており、航空機乗客メインキャビン内での減圧または除圧イベント時にメインキャビン減圧リレーから酸素発生信号を受信し、
前記化学的酸素発生開始デバイスは、前記酸素発生信号をメインキャビン減圧リレーから受信すると、化学的酸素発生器による酸素の発生を開始してラバトリー酸素ドロップボックスハウジング内の酸素マスクに補助酸素を供給するように構成される
ことを特徴とするシステム。
【請求項２】
前記化学的酸素発生器は、低圧チューブによって前記ラバトリー用酸素マスクと流体連通するように接続されることを特徴とする請求項１に記載のシステム。
【請求項３】
前記メインキャビン減圧リレーは、メインキャビン減圧リレーと化学的酸素発生開始デバイスの間の電気接続を介して前記酸素発生信号を送信するように構成されることを特徴とする請求項１に記載のシステム。
【請求項４】
前記化学的酸素発生開始デバイスは手動で操作できるようにさらに構成されていることを特徴とする請求項１に記載のシステム。
【請求項５】
第１端部と反対側の第２端部とを有するケーブルをさらに備え、
前記ケーブルの前記第１端部が前記化学的酸素発生開始デバイスに動作可能に接続され、ケーブルの前記反対側の第２端部が手で引かれたときに化学的酸素発生開始デバイスを始動させることを特徴とする請求項１に記載のシステム。
【請求項６】
前記ケーブルの前記反対側の第２端部にラバトリー酸素ドロップボックスハウジングからアクセス可能であることを特徴とする請求項５に記載のシステム。
【請求項７】
前記ケーブルの前記反対側の第２端部は前記ラバトリー酸素ドロップボックスハウジング内に配置され、ラバトリー酸素ドロップボックスハウジングが開くとケーブルの第２端部にアクセス可能となり手で引っ張って前記化学的酸素発生開始デバイスを始動し、化学的酸素発生器による酸素の発生を開始し、ラバトリー酸素ドロップボックスハウジング内の酸素マスクに低圧チューブを通して補助酸素を供給可能であることを特徴とする請求項５に記載のシステム。
【請求項８】
航空機乗客メインキャビンの航空機用ラバトリーに補助酸素を供給するシステムであって、
航空機用ラバトリーを有する航空機乗客メインキャビンと、
航空機用ラバトリー内に設置され、航空機用ラバトリーの使用者に補助酸素を提供するように構成されたラバトリー用酸素マスクを備える、ラバトリー酸素ドロップボックスハウジングと、
ラバトリー用酸素マスクに接続され該ラバトリー用酸素マスクに補助酸素を提供する化学的酸素発生器であって、乗客が実質的にアクセスできない、航空機用ラバトリーおよび酸素ドロップボックスハウジングから実質的に離れた航空機の領域内に、航空機用ラバトリーおよび酸素ドロップボックスハウジングから遠隔に設置される化学的酸素発生器と、
航空機乗客メインキャビン内での減圧または除圧イベント時に酸素発生信号を送信するように構成されたメインキャビン減圧リレーと、
化学的酸素発生器に接続された化学的酸素発生開始デバイスと、
を備え、
前記化学的酸素発生開始デバイスはメインキャビン減圧リレーと電気的に接続されており、航空機乗客メインキャビン内での減圧または除圧イベント時にメインキャビン減圧リレーから酸素発生信号を受信し、
前記化学的酸素発生開始デバイスは、前記酸素発生信号をメインキャビン減圧リレーから受信すると、化学的酸素発生器による酸素の発生を開始してラバトリー酸素ドロップボックスハウジング内の酸素マスクに補助酸素を供給するように構成される
ことを特徴とするシステム。
【請求項９】
前記化学的酸素発生器は、低圧チューブによって前記ラバトリー用酸素マスクと流体連通するように接続されることを特徴とする請求項８に記載のシステム。
【請求項１０】
前記メインキャビン減圧リレーは、メインキャビン減圧リレーと化学的酸素発生開始デバイスの間の電気接続を介して前記酸素発生信号を送信するように構成されることを特徴とする請求項８に記載のシステム。
【請求項１１】
前記化学的酸素発生開始デバイスは手動で操作できるようにさらに構成されていることを特徴とする請求項８に記載のシステム。
【請求項１２】
第１端部と反対側の第２端部とを有するケーブルをさらに備え、
前記ケーブルの前記第１端部が前記化学的酸素発生開始デバイスに動作可能に接続され、ケーブルの前記反対側の第２端部が手で引かれたときに化学的酸素発生開始デバイスを始動させることを特徴とする請求項８に記載のシステム。
【請求項１３】
前記ケーブルの前記反対側第２端部にラバトリー酸素ドロップボックスハウジングからアクセス可能であることを特徴とする請求項１２に記載のシステム。
【請求項１４】
前記ケーブルの前記反対側の第２端部は前記ラバトリー酸素ドロップボックスハウジング内に配置され、ラバトリー酸素ドロップボックスハウジングが開くとケーブルの第２端部にアクセス可能となり手で引っ張って前記化学的酸素発生開始デバイスを始動し、化学的酸素発生器による酸素の発生を開始し、ラバトリー酸素ドロップボックスハウジング内の酸素マスクに低圧チューブを通して補助酸素を供給可能であることを特徴とする請求項１２に記載のシステム。
【請求項１５】
前記化学的酸素発生器は、前記航空機乗客メインキャビンの天井パネルの上方に配置されることを特徴とする請求項１または８に記載のシステム。
【発明の詳細な説明】
【技術分野】
【０００１】
本発明は、一般に航空機用の化学的酸素発生器に関し、より詳細には、航空機用化学的酸素発生器が酸素を供給するように構成されている航空機用ラバトリー（化粧室）から遠隔にある、航空機用化学的酸素発生器の設置および操作に関する。
【背景技術】
【０００２】
通常、旅客機は、高高度での航空機の減圧イベント時に下に落ちて乗客に酸素を提供する非常用酸素マスクを用いて、乗客キャビン領域と乗客用ラバトリーに酸素を供給する。点火装置を有する複数の化学的酸素発生器と、点火装置を順に駆動するシーケンサーと、化学的酸素発生器が発生した酸素を分配する酸素マスクと、を備える、航空機キャビンに酸素を供給する従来システムが知られている。分配システムの一部である圧力センサがシーケンサーを制御して、圧力が閾値を下まわるとすぐに次の化学的発生器の点火装置を順々に駆動する。少なくとも一つの呼吸マスクを収容する取付容器と、呼吸マスクに接続された発熱化学酸素発生器とを備える、航空機内の乗客に非常用酸素を供給する別の従来システムが知られている。取付容器の蓋の枢動性が改善され、酸素発生器が枢動によってその場所を変えることができるようになっている。
【発明の概要】
【発明が解決しようとする課題】
【０００３】
しかしながら、２０人以上の乗客定員を持つ、特定の旅客運搬カテゴリの航空機に対して、連邦航空局（ＦＡＡ）は最近、発生器の酸素の供給が消費されるまで航空機のラバトリー内で全ての化学的酸素発生器を起動するか、または酸素発生器を取り除き、酸素マスクを取り除くかまたは再収納し、発生器が消費されるかまたは取り除かれた後にラバトリー内のマスクディスペンサードアを閉じて、航空機用ラバトリー内の化学的酸素発生器の配置からの潜在的危険性を排除するように要求した。客室乗務員は、キャビン減圧の発生時にラバトリーが使用されているかを確認し、ラバトリーのあらゆる使用者が迅速に緊急用酸素を得られるような補助を試みるように、現在のところ指示されている。しかしながら、ラバトリー使用者によってラバトリーの扉がロックされ、このようなキャビン減圧事象などの間にラバトリー使用者が倒れると、客室乗務員によるラバトリー使用者の非常用酸素の獲得の補助を少なくとも妨げるおそれがある。したがって、航空機用化学的酸素発生器が酸素を供給する航空機用ラバトリーから遠隔に設置され操作される航空機用化学的酸素発生器を提供する、ラバトリー酸素システムを提供することが望ましい。本発明はこれらの要望および他の要望を満たす。
【課題を解決するための手段】
【０００４】
簡潔にかつ一般的に述べると、本発明は、航空機用化学的酸素発生器が酸素を供給する航空機用ラバトリーから離れて、航空機用化学的酸素発生器を設置および操作することによって、航空機用ラバトリーに酸素を供給するシステムを提供する。
【０００５】
したがって、本発明は、航空機乗客メインキャビンの航空機用ラバトリーに補助酸素（supplemental oxygen）を供給するシステムを提供する。このシステムは、航空機用ラバトリーを有する航空機乗客メインキャビンと、航空機用ラバトリーの使用者に補助酸素を提供するように構成されたラバトリー用酸素マスクを備える、航空機用ラバトリー内に設置されたラバトリー酸素ドロップボックスハウジングと、ラバトリー用酸素マスクに接続されラバトリー用酸素マスクに補助酸素を提供する化学的酸素発生器と、を備える。有利なことに、化学的酸素発生器は、典型的に化学的酸素発生器とラバトリー用酸素マスクの間に接続された低圧チューブを介して、航空機用ラバトリーおよび酸素ドロップボックスハウジングから実質的に離れている航空機の領域内に、航空機用ラバトリーおよび酸素ドロップボックスハウジングから遠隔に設置される。
【０００６】
メインキャビン減圧リレーは、航空機乗客メインキャビン内での減圧または除圧イベント時に酸素発生信号を送信するように構成される。減圧イベント中に、航空機内に配置された圧力スイッチがメインキャビン減圧リレーを自動的に駆動し、メインキャビン減圧リレーがメインキャビンの全域で全ての酸素ドロップボックスに信号を送信する。この信号が、酸素ボックスドアを開き使用者にマスクを与えるソレノイドラッチを駆動する。マスクが引かれると、化学的酸素発生器からピントルが解放され、酸素がマスクに自由に流れ始める。好適な態様では、メインキャビン減圧リレーも、航空機用ラバトリーおよび酸素ドロップボックスハウジングから実質的に離れて遠隔にある航空機の領域内に設置される。メインキャビン減圧リレーからの同じ信号を用いて、化学的酸素発生開始デバイスが化学的酸素発生器に接続される。化学的酸素発生開始デバイスは、化学的酸素発生器による酸素の発生を開始し、ラバトリー酸素ドロップボックスハウジング内の酸素マスクに補助酸素を供給するように構成されている。化学的酸素発生開始デバイスは、メインキャビン減圧リレーと電気的に接続されており、航空機乗客メインキャビン内での減圧または除圧イベント時に、メインキャビン減圧リレーから酸素発生信号を受信する。
【０００７】
好適な変形例では、代替的にまたは追加的に、化学的酸素発生開始デバイスに操作可能に接続された第１端部を有するケーブルなどにより、ケーブルの反対側の第２端部が引っ張られるか他の方法で手動操作されると化学的酸素発生開始デバイスが始動するように、化学的酸素発生開始デバイスを手動で駆動することができる。好適な態様では、ラバトリー酸素ドロップボックスハウジングからケーブルの第２端部にアクセス可能であり、好ましくはラバトリー酸素ドロップボックスハウジング内にケーブルの第２端部が配置される。こうすると、ラバトリー酸素ドロップボックスハウジングが開きケーブルの第２端部にアクセス可能となったとき、第２端部を引っ張るかまたは他の方法で手動操作して化学的酸素発生開始デバイスを始動させ、化学的酸素発生器による酸素の発生を開始して、ラバトリー酸素ドロップボックスハウジング内の酸素マスクに低圧チューブを通して補助酸素を供給することができる。
【０００８】
本発明の他の特徴および利点は、本発明の動作を例として図解する添付の図面と併せて、以下の好適な実施形態の詳細な説明からより明らかになるだろう。
【図面の簡単な説明】
【０００９】
【図１】本発明に係る航空機用ラバトリーに補助酸素を供給するシステムの模式図である。
【図２】本発明に係る航空機用ラバトリーに補助酸素を供給するシステムの変形例の模式図である。
【発明を実施するための形態】
【００１０】
例として提供するが限定を目的としない図を参照して、本発明は、図１に示すように、航空機乗客メインキャビン１４の航空機用ラバトリー１２に酸素を供給する航空機用ラバトリー補助酸素供給システム１０を提供する。航空機用ラバトリー補助酸素供給システムは、航空機用ラバトリー内に設置され、航空機用ラバトリーの使用者に補助酸素を提供するように構成されたラバトリー用酸素マスク１８を含む、ラバトリー酸素ドロップボックスハウジング１６を備える。
【００１１】
ラバトリー用酸素マスクは、化学的酸素発生器とラバトリー用酸素マスクの間に接続された低圧チューブ２２を介して、化学的酸素発生器２０から補助酸素を受け取るように接続されている。化学的酸素発生器は、有利なことに、航空機用ラバトリーおよび酸素ドロップボックスハウジングから実質的に離れている航空機の領域２４内に、航空機用ラバトリーおよび酸素ドロップボックスハウジングから遠隔に設置されており、典型的に、乗客が実質的にアクセスできないように天井２５の上方に配置されている。
【００１２】
化学的酸素発生開始デバイス２６は化学的酸素発生器に接続され、化学的酸素発生器による酸素の発生を開始して低圧チューブを通してラバトリー酸素ドロップボックスハウジング内の酸素マスクへ補助酸素を供給するように構成されている。化学的酸素発生開始デバイスはメインキャビン減圧リレー２８に電気的に接続されており、航空機乗客メインキャビン内での減圧または除圧イベント時に、メインキャビン減圧リレーと化学的酸素発生開始デバイスの間の電気接続３２を介して、メインキャビン減圧リレーから電気酸素発生信号３０を受信する。
【００１３】
図２を参照して、上述し図１に図解した本発明の変形例では、本発明は、航空機乗客メインキャビン１１４の航空機用ラバトリー１１２に酸素を供給する航空機用ラバトリー補助酸素供給システム１１０を提供する。航空機用ラバトリー補助酸素供給システムは、航空機用ラバトリー内に設置され、航空機用ラバトリーの使用者に補助酸素を提供するように構成されたラバトリー用酸素マスク１１８を含む、ラバトリー酸素ドロップボックスハウジング１１６を備える。
【００１４】
ラバトリー用酸素マスクは、化学的酸素発生器とラバトリー用酸素マスクの間に接続された低圧チューブ１２２を介して、化学的酸素発生器１２０から補助酸素を受け取るように接続されている。化学的酸素発生器は、有利なことに、航空機用ラバトリーおよび酸素ドロップボックスハウジングから実質的に離れている航空機の領域１２４内に、航空機用ラバトリーおよび酸素ドロップボックスハウジングから遠隔に設置されており、典型的に、乗客が実質的にアクセスできないように天井１２５の上方に配置されている。
【００１５】
化学的酸素発生開始デバイス１２６は化学的酸素発生器に接続され、化学的酸素発生器による酸素の発生を開始して低圧チューブを通してラバトリー酸素ドロップボックスハウジング内の酸素マスクへ補助酸素を供給するように構成されている。化学的酸素発生開始デバイスはメインキャビン減圧リレー１２８に電気的に接続されており、航空機乗客メインキャビン内での減圧または除圧イベント時に、メインキャビン減圧リレーと化学的酸素発生開始デバイスの間の電気接続１３２を介して、メインキャビン減圧リレーから電気酸素発生信号１３０を受信する。
【００１６】
図２に示すように、代替的にまたは追加的に、化学的酸素発生開始デバイスに操作可能に接続された第１端部１３６を有するケーブル１３４などにより、ケーブルの反対側の第２端部１３８が手で引っ張られると化学的酸素発生開始デバイスが始動するように、化学的酸素発生開始デバイスを手動で駆動することができると好ましい。好適な態様では、ラバトリー酸素ドロップボックスハウジングからケーブルの第２端部にアクセス可能であり、好ましくはラバトリー酸素ドロップボックスハウジング内にケーブルの第２端部が配置される。こうすると、ラバトリー酸素ドロップボックスハウジングが開きケーブルの第２端部にアクセス可能となったとき、第２端部を引っ張るかまたは他の方法で手動操作して化学的酸素発生開始デバイスを始動させ、化学的酸素発生器による酸素の発生を開始して、ラバトリー酸素ドロップボックスハウジング内の酸素マスクに低圧チューブを通して補助酸素を供給することができる。
【００１７】
本発明の特定の形態について図解し説明してきたが、本発明の精神および範囲から逸脱することなく様々な修正をなし得ることは上記から明らかである。
【図１】
0005851033.tif 000002
【図２】
0005851033.tif 000003